(57)【要約】【課題】    取付部材にＴ字状のフック部を設けることによって、パネル計器を取り付ける際に、取付部材を手で支持しなくてもパネル計器から外れることがなく、取付作業を容易にしたパネル計器の取付装置を実現する。【解決手段】    パネル計器をパネルに取り付けるパネル計器の取付装置において、パネル計器に取り付けられ、ねじが螺合され、このねじをパネルに押し当ててパネル計器を固定する取付部材と、Ｌ字状に形成されていて、取付部材に設けられ、パネル計器の取付穴に挿入される第１のフック部と、Ｔ字状に形成されていて、取付部材に設けられ、パネル計器の取付穴に挿入される第２のフック部とを備える。パネルにねじが押し当てられることによって取付部材がスライドされ、第１のフック部及び第２のフック部がパネル計器の取付穴に係合し、パネル計器がパネルに取り付けられる。【選択図】                    図１
2007132827.tif 000002
【特許請求の範囲】
【請求項１】
パネル計器をパネルに取り付けるパネル計器の取付装置において、
前記パネル計器に取り付けられ、ねじが螺合され、このねじを前記パネルに押し当ててパネル計器を固定する取付部材と、
Ｌ字状に形成されていて、前記取付部材に設けられ、前記パネル計器の取付穴に挿入される第１のフック部と、
Ｔ字状に形成されていて、前記取付部材に設けられ、前記パネル計器の取付穴に挿入される第２のフック部と、
を備え、前記パネルに前記ねじが押し当てられることによって前記取付部材がスライドされ、第１のフック部及び第２のフック部が前記パネル計器の取付穴に係合し、パネル計器がパネルに取り付けられることを特徴とするパネル計器の取付装置。
【請求項２】
Ｌ字状に形成された前記第１のフック部は、前記取付部材が一方向にスライドされたときに前記パネル計器の取付穴に係合し、
Ｔ字状に形成された前記第２のフック部は、前記取付部材がどちらの方向にスライドされても前記パネル計器の取付穴に係合することを特徴とする請求項１に記載のパネル計器の取付装置。
【請求項３】
前記Ｔ字状の第２のフック部は、横方向の腕の長さは前記パネル計器の取付穴の寸法とほぼ等しいことを特徴とする請求項１または２記載のパネル計器の取付装置。
【請求項４】
前記取付部材をパネルから遠ざかる方向に押し、前記第１のフック部及び第２のフック部を前記パネル計器の取付穴に係合させる押圧手段を有することを特徴とする請求項１乃至３のいずれかに記載のパネル計器の取付装置。
【請求項５】
前記押圧手段は、ばねであることを特徴とする請求項４に記載のパネル計器の取付装置。
【請求項６】
第１のフック部及び第２のフック部が前記パネル計器の取付穴に係合している状態から係合しない状態に遷移したときにクリックされるクリック機構を有することを特徴とする請求項１乃至５のいずれかに記載のパネル計器の取付装置。
【請求項７】
パネル計器をパネルに取り付けるパネル計器の取付装置において、
前記パネル計器に取り付けられ、ねじが螺合され、このねじを前記パネルに押し当ててパネル計器を固定する取付部材と、
Ｔ字状に形成され、前記取付部材に設けられ、前記パネル計器の取付穴に挿入される２個以上のフック部と、
を備え、前記パネルに前記ねじを押し当てると前記取付部材がスライドされ、前記フック部が前記パネル計器の取付穴に係合し、パネル計器がパネルに取り付けられることを特徴とするパネル計器の取付装置。
【発明の詳細な説明】
【技術分野】
【０００１】
本発明は、電力モニタ、温度調節計等のパネル計器をパネルに取り付けるパネル計器の取付装置に関するものである。
【背景技術】
【０００２】
図４は従来におけるパネル計器の取付装置の構成例を示した図である。
図４で、（ａ）、（ｂ）及び（ｃ）は、取付装置が実装されたパネル計器の正面図、側面図及び上面図である。
【０００３】
取付部材１０は、パネル計器２０に取り付けられている。この取付部材１０は、ねじ１１が螺合され、ねじ１１をパネル３０に押し当てることによって、パネル計器２０を固定する。パネル計器２０の表示面２１をパネル３０から出した状態で、パネル３０の背面にねじ１１を押し当てることによって、パネル計器２０をパネル３０に取り付ける。ねじ１１は、先端がパネルに押し当てられ、頭は取付部材１０の中にある。
【０００４】
フック部１２、１３は、Ｌ字状に形成されていて、取付部材１０に設けられ、パネル計器２０の取付穴２２、２３に挿入される。
図４の（ｂ）はフック部１２、１３及び取付穴２２、２３の部分で内部構成を示している。
【０００５】
このような取付装置で、フック部１２、１３を取付穴２２、２３に挿入した状態で、ねじ１１を回転してＡ方向に移動させると、ねじ１１の先端がパネル３０に押し当てられる。ねじ１１を押し当てる力の反力で取付部材１０はＢ方向にスライドし、フック部１２、１３のＬ字状の腕が取付穴２２、２３に係合する。これによって、パネル計器２０がパネル３０に取り付けられる。
【０００６】
特許文献１には、ねじをパネルに押し当てることによって、パネル計器をパネルに取り付けるパネル計器の取付装置が記載されている。
【０００７】
【特許文献１】実開平５−８７５２４号公報
【発明の開示】
【発明が解決しようとする課題】
【０００８】
しかし、図４の従来例では次の問題点があった。
（ａ）従来例の構成の場合、計器本体を固定するときに、ドライバをねじ１１に押し当てて回すと、必然的に取付部材１０を前方（Ａ方向）へ押してしまうため、ねじ１１を回し始めた直後にフック部１２、１３が取付穴２２、２３に係合していない。これにより、取付部材１０を手等によって固定しておかないと、取付部材１０が取付穴２２、２３から外れてしまう可能性が高かった。
（ｂ）パネル計器は狭い間隔で取り付ける頻度が高く、計器を固定する際に取付部材１０を手で固定することができず、取付部材１０が取付穴２２、２３から外れてしまうことがあった。このため、狭い場所での取付作業が困難であった。
【０００９】
本発明は上述した問題点を解決するためになされたものであり、取付部材にＴ字状のフック部を設けることによって、パネル計器を取り付ける際に、取付部材を手で支持しなくてもパネル計器から外れることがなく、取付作業を容易にしたパネル計器の取付装置を実現することを目的とする。
【課題を解決するための手段】
【００１０】
このような課題を解決するために、本発明は次のとおりの構成になっている。
【００１１】
（１）パネル計器をパネルに取り付けるパネル計器の取付装置において、
前記パネル計器に取り付けられ、ねじが螺合され、このねじを前記パネルに押し当ててパネル計器を固定する取付部材と、
Ｌ字状に形成されていて、前記取付部材に設けられ、前記パネル計器の取付穴に挿入される第１のフック部と、
Ｔ字状に形成されていて、前記取付部材に設けられ、前記パネル計器の取付穴に挿入される第２のフック部と、
を備え、前記パネルに前記ねじが押し当てられることによって前記取付部材がスライドされ、第１のフック部及び第２のフック部が前記パネル計器の取付穴に係合し、パネル計器がパネルに取り付けられることを特徴とするパネル計器の取付装置。
【００１２】
（２）Ｌ字状に形成された前記第１のフック部は、前記取付部材が一方向にスライドされたときに前記パネル計器の取付穴に係合し、
Ｔ字状に形成された前記第２のフック部は、前記取付部材がどちらの方向にスライドされても前記パネル計器の取付穴に係合することを特徴とする（１）に記載のパネル計器の取付装置。
【００１３】
（３）前記Ｔ字状の第２のフック部は、横方向の腕の長さは前記パネル計器の取付穴の寸法とほぼ等しいことを特徴とする（１）または（２）記載のパネル計器の取付装置。
【００１４】
（４）前記取付部材をパネルから遠ざかる方向に押し、前記第１のフック部及び第２のフック部を前記パネル計器の取付穴に係合させる押圧手段を有することを特徴とする（１）乃至（３）のいずれかに記載のパネル計器の取付装置。
【００１５】
（５）前記押圧手段は、ばねであることを特徴とする（４）に記載のパネル計器の取付装置。
【００１６】
（６）第１のフック部及び第２のフック部が前記パネル計器の取付穴に係合している状態から係合しない状態に遷移したときにクリックされるクリック機構を有することを特徴とする（１）乃至（５）のいずれかに記載のパネル計器の取付装置。
【００１７】
（７）パネル計器をパネルに取り付けるパネル計器の取付装置において、
前記パネル計器に取り付けられ、ねじが螺合され、このねじを前記パネルに押し当ててパネル計器を固定する取付部材と、
Ｔ字状に形成され、前記取付部材に設けられ、前記パネル計器の取付穴に挿入される２個以上のフック部と、
を備え、前記パネルに前記ねじを押し当てると前記取付部材がスライドされ、前記フック部が前記パネル計器の取付穴に係合し、パネル計器がパネルに取り付けられることを特徴とするパネル計器の取付装置。
【発明の効果】
【００１８】
以上説明したことから明らかなように、本発明によれば次のような効果がある。
（１）取付部材にＴ字状のフック部を設けたため、パネル計器を取り付ける際に、ドライバを取付部材にあるねじに押し当て、これによって取付部材が移動してもＴ字状のフック部はパネル計器の取付穴に係合される。これによって、取付部材を手で支持しなくてもパネル計器から外れることがなく、取付作業を容易にした。
（２）パネル計器を狭い間隔で取り付ける場合も、取付部材を手で支持しなくてもよいため、取付作業が容易になる。
（３）パネル計器を交換等で取り外す場合も、取付部材を手で支持しなくてもよいため、交換作業が容易になる。
（４）Ｔ字状のフック部は、取付部材がどちらの方向にスライドされてもパネル計器の取付穴に係合するため、取付部材はパネル計器から外れにくい。
（５）Ｔ字状のフック部は、横方向の腕の長さはパネル計器の取付穴の寸法とほぼ等しいため、取付部材はパネル計器から外れにくい。
【発明を実施するための最良の形態】
【００１９】
以下、図面を用いて本発明を詳細に説明する。
図１は本発明の一実施例を示す構成図である。図１で前出の図と同一のものは同一符号を付ける。
【００２０】
図１で、（ａ）、（ｂ）及び（ｃ）は、取付装置が実装されたパネル計器の正面図、上面図及び側面図である。図１の（ｃ）はフック部４１、４２及び取付穴２２、２３の部分で内部構成を示している。
【００２１】
取付部材４０は、図４の取付部材１０と同様に、パネル計器２０に取り付けられ、ねじ１１が螺合され、ねじ１１をパネル３０に押し当ててパネル計器２０を固定する。パネル計器２０の表示面２１をパネル３０から出した状態で、パネル３０の背面にねじ１１を押し当て、パネル計器２０をパネル３０に取り付ける。ねじ１１は、先端がパネルに押し当てられ、頭は取付部材４０の中にある。
【００２２】
フック部４１は、Ｌ字状に形成されていて、取付部材４０に設けられ、パネル計器２０の取付穴２２に挿入される。
フック部４２は、Ｔ字状に形成されていて、取付部材４０に設けられ、パネル計器２０の取付穴２３に挿入される。Ｔ字状のフック部４２は、横方向の腕の長さは取付穴２３の寸法とほぼ等しくなっている。これによって、Ｔ字状のフック部４２を取付穴２３に挿入するときに隙間が小さくなる。
このように取付部材４０には、Ｌ字状のフック部４１とＴ字状のフック部４２が設けられている。
【００２３】
Ｌ字状のフック部４１は、取付穴２２に挿入された状態で、取付部材４０がＡ方向にスライドされたときに取付穴２２に係合する。
Ｔ字状のフック部４２は、取付穴２３に挿入された状態で、取付部材４０がＡ方向にスライドされても、Ｂ方向にスライドされても、取付穴２３に係合する。
図１の（ｃ）は一部で内部構成を示している。
【００２４】
図１の取付装置の動作を説明する。図２は取付装置の取付時の動作を示した説明図である。図２では取付装置の側面図と下面図を並べて示している。
図２で、（ａ）に示すように取付部材４０のフック部４１、４２を取付穴２２、２３に挿入する。挿入した状態では（ｂ）に示すようになる。
【００２５】
取付部材４０のねじ１１を回すために、取付部材４０の後方（Ｃ側）からドライバ（図示せず）をねじ１１の頭に押し当てると、ドライバにより取付部材４０にＡ方向の力が加えられる。このため、取付部材４０はＡ方向にスライドし、フック部４２のフック４２１が取付穴２３の縁に係合する。これによって、（ｃ）に示す状態になる。この状態では、取付部材４０にＡ方向以外の力が働いても、取付部材４０がパネル計器２０から脱落することはない。
【００２６】
取付部材４０の後方（Ｃ側）からドライバをねじ１１の頭に押し当て、ドライバを回していくと、ねじ１１がパネル３０に押し当てられ、ねじ１１の推進力で取付部材４０がＢ方向にスライドする。スライドしたときに、（ｄ）に示すように瞬間的にフック部４１、４２を取付穴２２、２３に挿入したときと同じ状態になる。しかし、Ｔ字状のフック部４２と取付穴２３との隙間が小さいため、取付部材４０に対して垂直方向（Ｄ方向）の力が加わらない限りは、取付部材４０がパネル計器２０から抜けることはない。
【００２７】
更にドライバを回すと、ねじ１１がパネル３０に押し当てられ、ねじ１１の推進力で取付部材４０がＢ方向にスライドし、（ｅ）に示すようにフック部４２のフック４２２が取付穴２３の縁に係合し、取付部材４０はパネル計器２０から抜けなくなる。また更にドライバを回すと、ねじ１１をパネル３０に押し当てる力の反力が取付部材４０にかかった状態になり、パネル計器２０がパネル３０に固定される。
【００２８】
図３は取付装置の取り外し時の動作を示した説明図である。図３では取付装置の側面図と下面図を並べて示している。
ねじ１１を緩め、（ａ）に示すようにフック４２２の取付穴２３への引っ掛かり量よりも多く取付部材４０をスライドできるようにする。すなわち、ねじ１１とパネル３０の間隔ｍを、フック４２２の取付穴２３への引っ掛かり部分の長さｎよりも長くなるようにする。取付部材４０をフック部４２が取付穴２３の側面２３１に押し付けられるようにしながらスライドさせる。
【００２９】
（ｂ）に示すようにフック部４２に形成したリブ４２３が取付穴２３に形成した切欠２３２に嵌合する際、その段差のために取付部材４０を保持している手に振動（クリック）が伝わる。リブ４２３と切欠２３２にクリック機構を構成している。（ｂ）ではＥに示すクリック機構を拡大表示している。
このとき、フック部４１、４２を取付穴２２、２３に挿入したときと同じ状態になる。この状態で、（ｃ）に示すように取付部材４０を取付穴２２、２３に対して垂直方向（Ｄ方向）に移動させると、取付部材４０をパネル計器２０から取り外すことができる。
【００３０】
なお、Ｌ字状のフック部とＴ字状のフック部は、あわせて２個以上あればよい。
また、Ｔ字状のフック部は少なくとも１個以上あればよい。
また、Ｌ字状のフック部がなくて、Ｔ字状のフック部を２個以上設けた構成にしてもよい。
また、Ｔ字状のフック部は、前方に曲がったＬ字状のフック部と、後方に曲がったＬ字状のフック部に分割してもよい。
【００３１】
また、取付部材４０をパネル３０から遠ざかる方向へ押す力は、ねじ１１の推進力の反力でなくてもよい。例えば、押圧手段で取付部材４０をパネル３０から遠ざかる方向に押し、フック部４１、４２を取付穴２２、２３に係合させてもよい。この押圧手段は、ばねであってもよい。これによって、ねじ１１をパネル３０に押し当てなくてもフック部４１、４２を取付穴２２、２３に係合させることができる。
【図面の簡単な説明】
【００３２】
【図１】本発明の一実施例を示す構成図である。
【図２】取付装置の取付時の動作を示した説明図である。
【図３】取付装置の取り外し時の動作を示した説明図である。
【図４】従来におけるパネル計器の取付装置の構成例を示した図である。
【符号の説明】
【００３３】
１１  ねじ
２０  パネル計器
２２、２３  取付穴
３０  パネル
４０  取付部材
４１、４２  フック部
２３２  切欠
４２３  リブ
【図１】
2007132827.tif 000003
【図２】
2007132827.tif 000004
【図３】
2007132827.tif 000005
【図４】
2007132827.tif 000006